(57)【特許請求の範囲】
【請求項１】
着用者の骨盤上部に装着される環状形の腰部支持布体と、
前記腰部支持布体の前面側に接続して、前記着用者の下腹部を覆う前布体と、
前記前布体に接続して、前記着用者の会陰を覆う股布体と、
前記股布体と前記腰部支持布体の背面側に接続して、前記着用者の臀裂に沿って仙骨下端部まで延びつつ、左臀部と右臀部をそれぞれ支持する臀部支持布体と、
を備え、
前記臀部支持布体は、その幅が座骨の内側に位置するように設定され、幅方向の中央で二つ折りされて前記着用者の臀裂に食い込んで臀裂の可動性のない皮膚に接して正中に配置され続けるように臀裂に固定される、ことを特徴とするアスリート用パンツ。
【請求項２】
前記腰部支持布体は、前記着用者の左右それぞれの骨盤前方突起部と腸骨稜部の間に配置される、請求項１に記載のアスリート用パンツ。
【請求項３】
前記前布体は、前記着用者の腹直筋部のみを覆う、請求項１または２に記載のアスリート用パンツ。
【請求項４】
前記前布体は、その下端に、鼠蹊部に触れずに恥骨部に密着する恥骨支持部を有する、請求項１から３のうちいずれか一項に記載のアスリート用パンツ。
【請求項５】
前記股布体は、前記着用者の左右の大腿に触れない幅を有する、請求項１から４のうちいずれか一項に記載のアスリート用パンツ。
【請求項６】
前記股布体は、その後方部が臀裂に向かって幅が細くなる形状を有し、
前記臀部支持布体は、その前方部に前記後方部が接続される切れ込みを有する、請求項１から５のうちいずれか一項に記載のアスリート用パンツ。
【請求項７】
前記臀部支持布体は、仙骨下端部において左右方向に二分割されて、左臀部と右臀部の上部に沿ってそれぞれ延在する、請求項１から６のうちいずれか一項に記載のアスリート用パンツ。
【発明の詳細な説明】
【技術分野】
【０００１】
本発明は、激しい運動時においても体動を阻害することなく、安定した着用感等が得られるアスリート用パンツに関する。
【背景技術】
【０００２】
アスリートは激しい運動を行うため、大腿部や脚の付け、臀部において、各部位同士が擦れて、炎症や擦りむきやが生じる。このような炎症等を防止するために、アスリート用パンツが開発されている。
【先行技術文献】
【特許文献】
【０００３】
【特許文献１】特開２０２０‐０４１２５２号公報
【発明の概要】
【発明が解決しようとする課題】
【０００４】
しかし、アスリートが激しい運動を行った際に、パンツの装着位置がずれて、パンツが体動を阻害してしまうという問題がある。また、パンツの装着位置により、安定した着用感が得られないという問題もある。
このため、体動を阻害することなく、安定した着用感が得られるアスリート用パンツが要望されている。
【０００５】
本発明は、激しい運動時においても体動を阻害することなく、安定した着用感が得られるアスリート用パンツを提供する。
【課題を解決するための手段】
【０００６】
本発明に係るアスリート用パンツの実施態様は、着用者の骨盤上部に装着される環状形の腰部支持布体と、前記腰部支持布体の前面側に接続して、前記着用者の下腹部を覆う前布体と、前記前布体に接続して、前記着用者の会陰を覆う股布体と、前記股布体と前記腰部支持布体の背面側に接続して、前記着用者の臀裂に食い込みつつ、左臀部と右臀部をそれぞれ支持する臀部支持布体と、を備えることを特徴とする。
【０００７】
本発明に係るアスリート用パンツの実施態様は、前記腰部支持布体は、前記着用者の左右それぞれの骨盤前方突起部（上前腸骨棘）と腸骨稜部（骨盤上端）の間に配置される、ことを特徴とする。
【０００８】
本発明に係るアスリート用パンツの実施態様は、前記前布体は、前記着用者の腹直筋部（腹直筋下部）のみを覆う、ことを特徴とする。
本発明に係るアスリート用パンツの実施態様は、前記前布体は、その下端に、鼠蹊部に触れずに恥骨部に密着する恥骨支持部を有する、ことを特徴とする。
【０００９】
本発明に係るアスリート用パンツの実施態様は、前記股布体は、前記着用者の左右の大腿に触れない幅を有する、ことを特徴とする。
本発明に係るアスリート用パンツの実施態様は、前記股布体は、その後方部が臀裂に向かって幅が細くなる形状を有し、前記臀部支持布体は、その前方部に前記後方部が接続される切れ込みを有する、ことを特徴とする。
【００１０】
本発明に係るアスリート用パンツの実施態様は、前記臀部支持布体は、幅方向の中央で二つ折りされて臀裂に食い込み、幅方向の両側部で左臀部と右臀部をそれぞれ支持する、ことを特徴とする。
本発明に係るアスリート用パンツの実施態様は、前記臀部支持布体は、仙骨下端部において左右方向に二分割されて、左臀部と右臀部の上部に沿ってそれぞれ延在する、ことを特徴とする。
【発明の効果】
【００１１】
本発明のアスリート用パンツは、激しい運動時において、大腿部の屈曲や開閉等の動きに干渉せず、アスリートの体動を阻害しない。特に、臀筋部を左右別々に支持・固定することで、臀部相互の摩擦および一方の臀筋の動きが生地を介して他方の臀筋に干渉することを防止できる。
また、本発明のアスリート用パンツは、大腿部や臀部に触れて炎症や擦りむきやが生じることを防止できる。さらに、激しい運動時において安定した着用感が得られ、骨盤正中部を固定することもできる。
【図面の簡単な説明】
【００１２】
【図１】本発明の実施形態に係るアスリート用パンツ１を示す正面図である。
【図２】本発明の実施形態に係るアスリート用パンツ１を示す底面図である。
【図３】本発明の実施形態に係るアスリート用パンツ１を示す背面図である。
【発明を実施するための形態】
【００１３】
アスリート用パンツ１は、着用者の下腹部から会陰部を経て臀部を覆う下着であり、着用者の肌に直接触れる。アスリート用パンツ１の素材は任意である。
アスリート用パンツ１は、腰部支持布体１０、前布体２０、股布体３０、臀部支持布体４０を備える。
【００１４】
図１は、実施形態に係るアスリート用パンツ１を示す正面図である。
図２は、実施形態に係るアスリート用パンツ１を示す底面図である。
図３は、実施形態に係るアスリート用パンツ１を示す背面図である。
【００１５】
腰部支持布体１０は、着用者の骨盤上部に装着される環状形の帯状布である。腰部支持布体１０は、例えば２０ｍｍ〜３０ｍｍ程度の幅を有して、着用者の骨盤上部に密着する。
腰部支持布体１０は、着用者の左右それぞれの骨盤前方突起部（上前腸骨棘）と腸骨稜部（骨盤上端）の間を通るように配置される。
骨盤前方突起部と骨盤上部の間は、骨盤と大腿部との筋肉の結合がなく、また体幹部の可動部分でもない。
このため、腰部支持布体１０は、骨盤前方突起部と骨盤上部の間に配置されることにより、着用者の体動に悪影響を与えない。つまり、腰部支持布体１０は、着用者の体動を阻害しない。
【００１６】
前布体２０は、腰部支持布体１０の前面側に接続して、着用者の下腹部を覆う布体である。腰部支持布体１０は、上下方向に延在する細長い台形状を有し、平行な二つの対辺のうちの長辺側（上辺部２１）が前布体２０の前面の下縁に縫い付けられる。
前布体２０の長辺側の幅は、腹直筋部の幅を超えないように形成される。つまり、前布体２０は、腹直筋部に沿って下方向に向かって幅が細くなる台形状を有する。言い換えれば、前布体２０は、腹直筋部のみを覆う形状を有する。
【００１７】
前布体２０の短辺側（下辺部２２）には、恥骨支持部２５が設けられる。恥骨支持部２５は、左右方向に延在する帯状の部位である。恥骨支持部２５は、前布体２０の左右への開大を防止するため、前布体２０の他の部位よりも頑丈（硬く）に形成される。恥骨支持部２５は、例えば、伸縮性のない丈夫な縫合部を有する。あるいは、恥骨支持部２５は、柔らかい樹脂等で形成された芯材を内蔵しその形状が容易に変化しないように形成される。
恥骨支持部２５は、左右方向の長さが鼠蹊部に接しない長さに設定される。また、恥骨支持部２５の幅（上下方向の長さ）は１０ｍｍ以内に設定される。
女性用のアスリート用パンツ１では、恥骨支持部２５は、着用者の恥骨部に密着する位置に配置される。男性用のアスリート用パンツ１では、恥骨支持部２５は、着用者の陰嚢後部に密着する位置に配置される。
【００１８】
恥骨支持部２５は、前布体２０の左右方向の位置ずれや形状変形を抑制する。つまり、恥骨支持部２５は、前布体２０が着用者の腹直筋部のみを覆った状態を維持する。
前布体２０は、着用者の腹直筋部のみを覆って位置ずれ等しないので、骨盤前面と大腿骨を結合する筋肉群と干渉しない。また、前布体２０は、大腿部の運動によって生じる腹部から大腿部の形態変化にも干渉しない。
このように、恥骨支持部２５は、体動によりに生じる緊張の変化による前布体２０の位置ずれ等を抑制し、前布体２０の鼠蹊部との接触を防ぐ。したがって、恥骨支持部２５は、大腿の運動と前布体２０の干渉を防ぐことができる。
【００１９】
股布体３０は、前布体２０の下辺部２２に接続して、着用者の会陰を覆う布体である。股布体３０の前方部３１は、前布体２０の下辺部と同一幅を有する。股布体３０は、大腿部の内側に接触しない幅に設定されて、後方に向かって延びる。
股布体３０の後方部３２は、臀裂に向かって幅が細くなる形状を有する。つまり、股布体３０の後方部３２は、臀裂に向って突き出る三角形状を有する。この股布体３０の後方部３２の左右側に臀部支持布体４０が連結される。
【００２０】
臀部支持布体４０は、股布体３０と腰部支持布体１０の背面側に接続する布体である。臀部支持布体４０は、着用者の臀裂に食い込みつつ、左臀部と右臀部をそれぞれ支持する。
臀部支持布体４０の前方部４１は、股布体３０の後方部に接続する三角形状の切れ込みを有する。股布体３０の後方部３２（突出した部位の両斜辺）に、臀部支持布体４０の前方部４１（切れ込み部位の両斜辺）が接続する。
臀部支持布体４０は、幅方向（左右方向）の中央で二つ折りされて臀裂に食い込み、臀裂の皮膚に接する。臀部支持布体４０の幅は、臀部支持布体４０が座骨の内側に位置するように、設定される。
臀部支持布体４０は、幅方向の中央で二つ折りされて臀裂に食い込むことにより、幅方向の両側部（左側部、右側部）で左臀部と右臀部をそれぞれ支持する。
そして、臀部支持布体４０は、臀裂に沿って上方に向かって延びる。つまり、臀部支持布体４０は、臀裂に一致して固定される。
これにより、股布体３０と前布体２０は、股部と下腹部の正中部に固定され、左右方向の位置ずれによる鼠蹊部と内股部への接触や食い込みが防止される。
【００２１】
臀部支持布体４０の後方部４２は、仙骨下端部において左右方向に二分割される。後方部４２は、支持右布４５と支持左布４６に分かれる。
支持右布４５と支持左布４６は、徐々に離間しながら上方に向かって延びる。支持右布４５と支持左布４６は、それぞれ仙骨外縁に沿って臀部上部を通り、腰部支持布体１０に接続する。
仙骨部には可動性が無いため、臀部支持布体４０の後方部４２は、仙骨境界部で臀筋上部を支持することができる。また、臀部支持布体４０の後方部４２が左右方向に二分割されることにより、左右方向の位置ずれに対する抵抗力が生じる。
これにより、臀部支持布体４０が臀部において正中して着用時の安定感が得られる。また、臀部に生じる緊張が左右方向に分散されることで、体動や体勢の変化があっても安定した着用感が得られる。
【００２２】
このように、アスリート用パンツ１は、腰部支持布体１０、前布体２０、股布体３０および臀部支持布体４０を備える。
アスリート用パンツ１は、臀部支持布体４０が着用者の臀裂に食い込みつつ、左臀部と右臀部をそれぞれ支持する。これにより、臀部支持布体４０は、臀裂の皮膚と接し汗、分泌物の貯留を防ぐことができる。また、臀裂の皮膚には可動性が無いため、臀部支持布体４０は、臀裂に固定される。
【００２３】
また、臀部支持布体４０は、幅方向の中央で二つ折りされて臀裂に食い込み、幅方向の両側部で左臀部と右臀部をそれぞれ支持する。
これにより、臀部支持布体４０は、左右臀部内側をそれぞれ個別に支持し、片側の臀部の運動が生地を介してもう片側の臀部の運動に影響するのを防ぐ。また、臀部の運動により生じる左右臀部の接触、摩擦を防ぐことができる。
【００２４】
さらに、臀部支持布体４０は、仙骨下端部において左右方向に二分割されて、左臀部と右臀部の上部に沿ってそれぞれ延在する。
仙骨部には可動性が無いため、臀部支持布体４０は、仙骨境界部で臀筋上部を支持することができる。
また、臀部支持布体４０が左右方向に二分割されるので、左右方向の位置ずれに対する抵抗力が生じ、臀部支持布体４０が正中に配置され続ける。これにより、アスリート用パンツ１の着用時の安定感が得られる。また、臀部にかかる緊張が二方向に分散されることで、体動や体勢の変化に関らず、安定した着用感が得られる。
【００２５】
腰部支持布体１０は、着用者の左右それぞれの骨盤前方突起部（上前腸骨棘）と腸骨稜部（骨盤上端）の間に配置される。骨盤前方突起部と骨盤上部の間は、骨盤と大腿部との筋肉の結合がなく、また体幹部の可動部分でもない。このため、腰部支持布体１０は、骨盤前方突起部と骨盤上部の間に配置されることにより、着用者の体動に悪影響を与えない。
【００２６】
前布体２０は、着用者の腹直筋部（下部）のみを覆う。前布体２０は、その下端（下辺部）に鼠蹊部に触れずに恥骨部に密着する恥骨支持部２５を有する。
股布体３０は、着用者の左右の大腿に触れない幅を有する。
これにより、アスリート用パンツは、激しい運動時において、大腿部の屈曲や開閉等の動きに干渉せず、アスリートの体動を阻害しない。
【００２７】
股布体３０は、その後方部が臀裂に向かって幅が細くなる形状を有し、臀部支持布体４０は、その前方部に、股布体３０の後方部が接続される切れ込みを有する。これにより、股布体３０が股部の正中に固定される。また、左右方向に位置ずれする力がかからないため、股布体３０の位置ずれを防止できる。
そして、股布体３０が会陰部に密着して、汗や分泌物の貯留を防ぐことができる。
【００２８】
以上、説明した通り、アスリート用パンツ１は、臀筋部を左右別々に支持・固定することで、臀部相互の摩擦および一方の臀筋の動きが生地を介して他方の臀筋に干渉することを防止できる。
また、アスリート用パンツ１は、大腿部や臀部に触れて炎症や擦りむきやが生じることを防止できる。さらに、激しい運動時において安定した着用感が得られ、骨盤正中部を固定することもできる。
【００２９】
本発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
【符号の説明】
【００３０】
１  アスリート用パンツ  
１０  腰部支持布体  
２０  前布体  
２１  上辺部  
２２  下辺部  
２５  恥骨支持部  
３０  股布体  
３１  前方部  
３２  後方部  
４０  臀部支持布体  
４１  前方部  
４２  後方部  
４５  支持右布  
４６  支持左布  
【要約】
【課題】激しい運動時においても体動を阻害することなく、安定した着用感が得られるアスリート用パンツを提供する。
を提供する。
【解決手段】アスリート用パンツ１は、着用者の骨盤上部に装着される環状形の腰部支持布体１０と、腰部支持布体１０の前面側に接続して着用者の下腹部を覆う前布体２０と、前布体２０に接続して着用者の会陰を覆う股布体３０と、股布体３０と腰部支持布体１０の背面側に接続して着用者の臀裂に食い込みつつ左臀部と右臀部をそれぞれ支持する臀部支持布体４０と、を備える。
【選択図】図１【図１】
0006964814.tif 000002
【図２】
0006964814.tif 000003
【図３】
0006964814.tif 000004